(57)【要約】【課題】使用すべきファクシミリ装置を選定する際に、ネットワークを介さずに使用するファクシミリ装置と、ネットワークを介して使用するファクシミリ装置のいずれを用いるかを容易に選択可能にする。【解決手段】画像処理装置は、原稿画像に応じた画像データをファクシミリ送信するための送信方法として、画像処理装置が備えるファクシミリ部を用いてファクシミリ送信する第１の送信方法と、前記ネットワーク上に接続されたファクシミリ装置を用いてファクシミリ送信する第２の送信方法の中から何れかを選択する選択手段を有し、第１の送信方法が選択された場合、ファクシミリ部は原稿画像に応じた画像データに基づいてファクシミリ送信を行い、第２の送信方法が選択された場合、原稿画像に応じた画像データを前記ネットワーク上に接続されたファクシミリ装置に送信する。【選択図】    図１６
2008047151.tif 000002
【特許請求の範囲】
【請求項１】
電話回線に接続されたファクシミリ部を備えた画像処理装置であって、
原稿画像を読み取る読み取り手段と、
ネットワーク上に接続されたファクシミリ装置と通信するネットワークインターフェース手段と、
前記読み取り手段によって読み取られた原稿画像に応じた画像データをファクシミリ送信するための送信方法として、前記画像処理装置が備えるファクシミリ部を用いてファクシミリ送信する第１の送信方法と、前記ネットワーク上に接続されたファクシミリ装置を用いてファクシミリ送信する第２の送信方法の中から何れかを選択する選択手段と、
を有し、
前記選択手段によって前記第１の送信方法が選択された場合、前記ファクシミリ部は前記読み取り手段によって読み取られた原稿画像に応じた画像データに基づいてファクシミリ送信を行い、前記選択手段によって前記第２の送信方法が選択された場合、前記ネットワークインターフェース手段は、前記読み取り手段によって読み取られた原稿画像に応じた画像データを前記ネットワーク上に接続されたファクシミリ装置に送信することを特徴とする画像処理装置。
【請求項２】
ファクシミリ送信の指定をユーザに行わせる指定手段と、
前記指定手段によってファクシミリ送信が指定された場合に前記第１の送信方法と前記第２の送信方法の何れかをユーザに選ばせるための選択のための画面を表示する表示手段とを更に備え、
前記選択手段は、前記表示手段によって表示された選択のための画面からユーザによって選ばれた送信方法を選択することを特徴とする請求項１記載の画像処理装置。
【請求項３】
前記表示手段は、前記選択のための画面に前記画像処理装置の装置名と前記ネットワーク上に接続されたファクシミリ装置の装置名とを表示することを特徴とする請求項２記載の画像処理装置。
【請求項４】
前記ネットワークはローカルエリアネットワークであり、前記ネットワークインターフェース手段は、ローカルエリアネットワークインターフェースであることを特徴とする請求項１乃至３の何れかに記載の画像処理装置。
【請求項５】
電話回線に接続されたファクシミリ部と、ネットワーク上に接続されたファクシミリ装置と通信するネットワークインターフェース手段とを備えた画像処理装置の制御方法であって、
原稿画像を読み取る読み取りステップと、
前記読み取りステップによって読み取られた原稿画像に応じた画像データをファクシミリ送信するための送信方法として、前記画像処理装置が備えるファクシミリ部を用いてファクシミリ送信する第１の送信方法と、前記ネットワーク上に接続されたファクシミリ装置を用いてファクシミリ送信する第２の送信方法の中から何れかを選択する選択ステップと、
を有し、
前記選択ステップによって前記第１の送信方法が選択された場合、前記ファクシミリ部は前記読み取り手段によって読み取られた原稿画像に応じた画像データに基づいてファクシミリ送信を行い、前記選択手段によって前記第２の送信方法が選択された場合、前記ネットワークインターフェース手段は、前記読み取り手段によって読み取られた原稿画像に応じた画像データを前記ネットワーク上に接続されたファクシミリ装置に送信することを特徴とする画像処理装置の制御方法。
【請求項６】
ファクシミリ送信がユーザによって指定された場合に前記第１の送信方法と前記第２の送信方法の何れかをユーザに選ばせるための選択のための画面を表示部に表示する表示ステップを更に備え、
前記選択ステップは、前記表示ステップによって表示された選択のための画面からユーザによって選ばれた送信方法を選択することを特徴とする請求項５記載の画像処理装置の制御方法。
【請求項７】
前記表示ステップは、前記選択のための画面に前記画像処理装置の装置名と前記ネットワーク上に接続されたファクシミリ装置の装置名とを表示することを特徴とする請求項６記載の画像処理装置の制御方法。
【請求項８】
前記ネットワークはローカルエリアネットワークであり、前記ネットワークインターフェース手段は、ローカルエリアネットワークインターフェースであることを特徴とする請求項５乃至７の何れかに記載の画像処理装置の制御方法。
【発明の詳細な説明】
【技術分野】
【０００１】
本発明は複数の画像処理装置が接続されるネットワークシステムの制御方法及び装置、及び該ネットワークシステムを構成するための画像処理装置及びその制御方法に関する。
【背景技術】
【０００２】
従来、ホストコンピュータと信号ケーブルを介して接続されているスキャナ、プリンタ等に加え、通信回線を介して上記のスキャナ、プリンタ、ホストコンピュータに接続されているスキャナ、プリンタ等の入出力装置に対しても画像データの入出力処理が可能であるようなシステムがある。このようなシステムにおいては、使用すべき入力装置若しくは出力装置を複数の装置の中からオペレータが選択する場合、選択可能な装置の一覧をホストコンピュータの表示装置に表示させている。そして、この表示の中からオペレータは入出力に用いるべき装置の選択を行う。
先行技術文献として以下のようなものがある。
【特許文献１】特開平６−８７５４８号公報
【発明の開示】
【発明が解決しようとする課題】
【０００３】
通常、デジタル複写装置のような入力装置や、ホストコンピュータと信号ケーブルを介して接続されている入出力装置と、通信回線を介して接続されている入出力装置とでは、入出力処理にかかる時間が異なる。即ち、通信回線を介して接続されている入出力装置の方が、通信回線上のデータ送信に時間がかかる等の理由で入出力処理にかかる時間は長くなる傾向にある。
【０００４】
このように、各入出力装置の接続に用いられているインターフェースの違いが処理速度に影響を与える。しかしながら一般のネットワークシステムにおいて、選択可能な装置の一覧表示を行う場合、入出力可能な装置の表示にはこのような区別が示されていない。このため、オペレータは選択しようとする入出力装置が通信回線を介さずに使用できるものであるか通信回線上に接続されているものであるかをその一覧表示から把握することはできない。
【０００５】
また、ホストコンピュータより、該ホストコンピュータとバスもしくはネットワークを介して接続された各種装置をリモートで利用可能なシステムがある。このようなシステムにおいてホストコンピュータよりリモートで使用する装置の選択は、ユーザーが所望の装置を指定するか、ホストコンピュータにより一意的に定められた装置が選択されている。
【０００６】
上述の装置の選択方法のうち、ホストコンピュータが自動的に装置を選択する場合、ホストコンピュータにより選択された装置が、ユーザーの望む位置から遠く離れた位置にあることが生じる。また、ユーザが所望の装置を選択する場合でも、各装置の物理的位置が把握できないため、不必要に遠い装置を選択してしまう可能性がある。また、不必要に遠くの装置が選択されることは、ネットワークのトラフィックを増加させることになり、データ転送の面でも好ましくない。
【０００７】
本発明は上記問題に鑑みてなされてものであり、その目的は、上述した欠点を除去することにある。
【０００８】
また、本発明の目的は、使用すべきファクシミリ装置を選定する際に、ネットワークを介さずに使用するファクシミリ装置と、ネットワークを介して使用するファクシミリ装置のいずれを用いるかを容易に選択可能にすることにある。
【課題を解決するための手段】
【０００９】
上記の目的を達成するための本発明による画像処理装置は以下の構成を備える。即ち、
電話回線に接続されたファクシミリ部を備えた画像処理装置であって、
原稿画像を読み取る読み取り手段と、
ネットワーク上に接続されたファクシミリ装置と通信するネットワークインターフェース手段と、
前記読み取り手段によって読み取られた原稿画像に応じた画像データをファクシミリ送信するための送信方法として、前記画像処理装置が備えるファクシミリ部を用いてファクシミリ送信する第１の送信方法と、前記ネットワーク上に接続されたファクシミリ装置を用いてファクシミリ送信する第２の送信方法の中から何れかを選択する選択手段と、
を有し、
前記選択手段によって前記第１の送信方法が選択された場合、前記ファクシミリ部は前記読み取り手段によって読み取られた原稿画像に応じた画像データに基づいてファクシミリ送信を行い、前記選択手段によって前記第２の送信方法が選択された場合、前記ネットワークインターフェース手段は、前記読み取り手段によって読み取られた原稿画像に応じた画像データを前記ネットワーク上に接続されたファクシミリ装置に送信する。
【００１０】
また、上記の目的を達成するための本発明による画像処理装置の制御方法は、
電話回線に接続されたファクシミリ部と、ネットワーク上に接続されたファクシミリ装置と通信するネットワークインターフェース手段とを備えた画像処理装置の制御方法であって、
原稿画像を読み取る読み取りステップと、
前記読み取りステップによって読み取られた原稿画像に応じた画像データをファクシミリ送信するための送信方法として、前記画像処理装置が備えるファクシミリ部を用いてファクシミリ送信する第１の送信方法と、前記ネットワーク上に接続されたファクシミリ装置を用いてファクシミリ送信する第２の送信方法の中から何れかを選択する選択ステップと、
を有し、
前記選択手段によって前記第１の送信方法が選択された場合、前記ファクシミリ部は前記読み取り手段によって読み取られた原稿画像に応じた画像データに基づいてファクシミリ送信を行い、前記選択手段によって前記第２の送信方法が選択された場合、前記ネットワークインターフェース手段は、前記読み取り手段によって読み取られた原稿画像に応じた画像データを前記ネットワーク上に接続されたファクシミリ装置に送信する。
【発明の効果】
【００１１】
本発明によれば、使用すべきファクシミリ装置を選定する際に、ネットワークを介さずに使用するファクシミリ装置と、ネットワークを介して使用するファクシミリ装置のいずれを用いるかを容易に選択できる。
【発明を実施するための最良の形態】
【００１２】
以下、図面を参照して本発明の実施例を説明する。
＜実施例１＞
図１は本発明の実施例の画像処理装置の構成を示すブロック図である。リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、コンピュータ板部７、フォーマッタ部８、ＬＡＮインターフェイス部９（ローカルエリアネットワークインターフェース）、コア部１０などからなる。
【００１３】
ファクシミリ部４は電話回線を介して受信した圧縮画像データを伸長して、伸長された画像データをコア部１０へ転送し、又、コア部１０から転送された画像データを圧縮して、圧縮された圧縮画像データを電話回線を介して送信する。ファクシミリ部４にはハードディスク１２が接続されており、受信した圧縮画像データを一時的に保存することができる。ファイル部５には光磁気ディスクドライブユニット６が接続されており、ファイル部５はコア部１０から転送された画像データを圧縮し、その画像データを検索するためのキーワードとともに光磁気ディスクドライブユニット６にセットされた光磁気ディスクに記憶させる。
【００１４】
又、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。コンピュータインターフェイス部７は、パーソナルコンピュータ又はワークステーション（ＰＣ／ＷＳ）１１とコア部１０の間のインターフェイスである。フォーマッタ部８はＰＣ／ＷＳ１１から転送された画像を表すコードデータをプリンタ部２で記録できる画像データに展開するものである。ＬＡＮインターフェイス部９はＬＡＮ（ローカルエリアネットワーク）に接続し、ＬＡＮを介したデータ通信を行う。
【００１５】
コア部１０については後述するが、コア部１０はリーダ部１、ファクシミリ部４、ファイル部５、コンピュータインターフェイス部７、フォーマッタ部８、ＬＡＮインターフェイス部９のそれぞれの間のデータの流れを制御するものである。
【００１６】
図２はリーダ部１及びプリンタ部２の断面図である。リーダ部１の原稿給送装置１０１は原稿を最終頁から順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３を点灯し、そしてスキャナユニット１０４の移動を開始させて、原稿を露光走査する。この時の原稿からの反射光は、ミラー１０５，１０６，１０７、及びレンズ１０８によってＣＣＤイメージセンサ（以下ＣＣＤという）１０９へ導かれる。このように、走査された原稿の画像はＣＣＤ１０９によって読み取られる。ＣＣＤ１０９から出力される画像データは、所定の処理が施された後、プリンタ部２及び画像入出力制御部３のコア部１０へ転送される。
【００１７】
プリンタ部２のレーザドライバ２２１はレーザ発光部２０１を駆動するものであり、リーダ部１から出力された画像データに応じたレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４及びカセット２０５のいずれかから記録紙を給紙して転送部２０６へ搬送し、感光ドラム２０２に付着された現像剤を記録紙に転写する。現像剤の乗った記録紙は定着部２０７に搬送され、定着部２０７の熱と圧力により現像剤は記録紙に定着される。定着部２０７を通過した記録紙は排出ローラ２０８によって排出され、ソータ２２０は排出された記録紙をそれぞれのピンに収納して記録紙の仕分けを行う。なお、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００１８】
図３はリーダ部１のブロック図である。ＣＣＤ１０９から出力された画像データはＡ／Ｄ・ＳＨ部１１０でアナログ／デジタル変換が行われるとともに、シェーディング補正が行われる。Ａ／Ｄ・ＳＨ部１１０によって処理された画像データは画像処理部１１１を介してプリンタ部２へ転送されるとともに、インターフェイス部１１３を介して画像入出力制御部３のコア部１０へ転送される。ＣＰＵ１１４は操作部１１５で設定された設定内容に応じて画像処理部１１１及びインターフェイス１１３を制御する。
【００１９】
例えば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェイス１１３から画像データと設定されたモードに応じた制御コマンドをコア部１０へ転送させる。このようなＣＰＵ１１４の制御プログラムはＲＯＭ１１６に記憶されており、ＣＰＵ１１４はＲＯＭ１１６を参照しながら制御を行う。また、ＲＡＭ１１７はＣＰＵ１１４の作業領域として使われる。
【００２０】
図４はコア部１０のブロック図である。リーダ部１からの画像データはデータ処理部１２１へ転送されるとともに、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データは、リーダ部１から転送された制御コマンドに応じて、インターフェイス１２０を介してファクシミリ部４、ファイル部５、コンピュータインターフェイス部７、ＬＡＮインターフェイス部９へ転送される。また、コンピュータインターフェイス７を介して入力された画像を表すコードデータは、データ処理部１２１に転送された後フォーマッタ部８へ転送されて画像データに展開される。この画像データはデータ処理部１２１に転送された後、ファクシミリ部４やプリンタ部２、ファイル部５、ＬＡＮインターフェイス部９へ転送される。ファクシミリ部４からの画像データは、データ処理部１２１へ転送された後、プリンタ部２やファイル部５、コンピュータインターフェイス部７、ＬＡＮインターフェイス部９へ転送される。また、ファイル部５からの画像データは、データ処理部１２１へ転送された後、プリンタ部２やファクシミリ部４、ファイル部５、コンピュータインターフェイス部７、ＬＡＮインターフェイス部９へ転送される。
【００２１】
また、ＬＡＮインターフェイス部を介して入力された画像データはデータ処理部１２１へ転送された後、プリンタ部２、ファクシミリ部４、ファイル部５、コンピュータインターフェイス部７へ転送される。また、ＬＡＮインターフェイス部を介して入力された画像を表すコードデータは、データ処理部１２１へ転送された後、フォーマッタ部８へ転送されて画像データに展開される。この画像データはデータ処理部１２１に転送された後、プリンタ部２、ファクシミリ部４、ファイル部５、コンピュータインターフェイス部７へ転送される。
【００２２】
ＣＰＵ１２３はＲＯＭ１２４に記憶されている制御プログラム、及びリーダ部１から転送された制御コマンドに従ってこのようなデータの転送先切換等の制御を行う。また、ＲＡＭ１２５はＣＰＵ１２３の作業領域として使われる。このように、コア部１０を中心に、原稿画像の読み取り、画像のプリント、画像の送受信、画像の保存、コンピュータからのデータの入出力、ＬＡＮを介したデータの入出力などの機能を複合させた処理を行うことが可能である。
【００２３】
また、ＣＰＵ１２３はリーダ部１、ファクシミリ部４、ファイルビ５、コンピュータインターフェイス部７、フォーマッタ部８、ＬＡＮインターフェイス部９にそれぞれ設けられているＣＰＵと通信を行い、データの転送制御を行う。
【００２４】
図１に示す画像処理システムにおいて、リーダ部１、ファクス部４、ファイル部５、コンピュータインターフェース部７、ＬＡＮインターフェース部９を介して接続されたＬＡＮ上の画像情報入力装置のいずれかより画像情報を入力することが可能である。また、プリンタ部２、ファクス部４、ファイル部５、コンピュータインターフェース部７、ＬＡＮインターフェース部９を介して接続されたＬＡＮ上の画像情報出力装置のいずれかに入力された画像情報を出力することが可能である。
【００２５】
また、フォーマッタ部８を用いることにより、ファクス部４、ファイル部５、コンピュータインターフェース部７、ＬＡＮインターフェース部９を介して接続されたＬＡＮ上の画像情報入力装置のいずれかより入力された文書ファイル等（コマンドデータで構成されたファイル）をイメージデータに展開して画像情報を得ることができる。更に、得られた画像情報を、プリンタ部２、ファクス部４、ファイル部５、コンピュータインターフェース部７、さらにＬＡＮインターフェース部９を介して接続されたＬＡＮ上の画像情報出力装置のいずれかに出力することも可能である。
【００２６】
これらの場合における入力装置及び出力装置の選択はオペレータによって行われる。入力装置、出力装置の選択操作に際しては、使用可能な入力装置及び出力装置の一覧がリーダ部１の操作部１１５の表示器に表示される。本実施例の画像処理システムにおいては、この一覧表示において、更に各装置がＬＡＮを介さずに使用できるものであるか（図１の画像処理装置に含まれているか）、ＬＡＮを介して接続されているものであるかが併せて表示される。従って、オペレータはこの表示を参考にして最適な入力装置及び出力装置を選択することができる。
【００２７】
以上のような本実施例の画像処理のためのネットワークシステムにおける入力装置選択の一実施例として、光学式スキャナ装置より入力された原稿画像を複写する場合（即ちプリンタ部２により出力する場合）について、以下に説明する。
【００２８】
図５は、本実施例のネットワークシステムの一構成例を表わす図である。画像処理装置１００は上述したように、リーダ部１、プリンタ部２、画像入出力制御装置３を有する。ＬＡＮインターフェース部９にはＬＡＮ１３００が接続される。ＬＡＮ１３００には各種の入力装置、出力装置が接続可能である。本実施例では２台の光学式スキャナ装置１３０２，１３０３と、３台のＦＡＸ送受信装置１３０５，１３０６，１３０７が接続されている。
【００２９】
上記のようなネットワークシステムにおいて、コア部１０のＣＰＵ１２３は、ＬＡＮ１３００に接続された各装置に対して定期的に入出力属性の問い合わせを行う。ここで、入出力属性とは、各装置の種別（ファクシミリ、スキャナ、プリンタ等）等である。この問い合わせの結果、図６に示したようなテーブルがＲＡＭ１２５に作成される。
【００３０】
図６は、ネットワークシステムにおいて使用可能な入力装置、出力装置の情報を格納する装置テーブルを表わす図である。装置テーブルには、各装置の種別を表わす種別情報や、画像処理装置１００に含まれる装置かＬＡＮを介して接続された装置かを表わす接続情報とを含む。
【００３１】
以下に、ネットワークシステムにおける画像の入出力操作について説明する。
【００３２】
図７は、本実施例の画像入力手順を表わすフローチャートである。まずステップＳ１００１では、複写対象の原稿画像の読み込みを行うための入力装置を選択する。本例では、使用する入力装置として光学式スキャナ装置の一つを選択する。ここで画像処理装置１００内には光学式スキャナ装置としてリーダ部１が含まれており、これを利用して原稿の入力を行うことができる。又、画像処理装置１００に含まれている光学式スキャナ装置以外にも、ＬＡＮインターフェース部９及びＬＡＮ１３００を介して接続されている光学式スキャナ装置１３０２、１３０３（以下ではこれを仮想光学式スキャナ装置と呼ぶ）を選択し、原稿画像の入力を行うことも可能である。
【００３３】
本実施例における仮想光学式スキャナ装置とは、同じＬＡＮ上に接続されたＬＡＮ対応光学式スキャナ装置のことである。図８のブロック図に示すようにＬＡＮ対応光学式スキャナ装置１３０２は、原稿を画像データに変換する画像入力部（リーダ部１１０２）と、読み込んだ画像データを同じＬＡＮ上に接続された他の装置に送信するためのＬＡＮインターフェース部１１０３により構成されている。リーダ部１１０２およびＬＡＮインターフェース部１１０３については本実施例の画像処理装置１００に含まれるリーダ部１およびＬＡＮインターフェース部９と同様な機能を有する。
【００３４】
ステップＳ１００１の入力装置の選択処理手順について図９乃至図１１を参照して説明する。
【００３５】
図９は入力装置の選択処理手順（ステップＳ１００１）の詳細を表わすフローチャートである。ステップＳ１０１０において、ＲＡＭ１２５の装置テーブルに基づいて操作部１１５の液晶表示部に入力装置の種別を表示する。
【００３６】
図１０は入力装置の種別の表示状態を表わす図である。ここで、液晶表示部は例えばタッチパネルで構成されており、液晶表示部が描画する操作キーに操作者が触れることにより入力操作が行われる。例えば、入力装置の種別としてスキャナを選択する場合、スキャナキー１２０１に触れるとその表示が変化するとともに、表示領域１２０３にスキャナが選択された旨が表示される。この状態で、決定キー１２０２に触れると、入力装置の種別としてスキャナを用いることが決定される。このようにして入力装置の種別が決定されると、ステップＳ１０１１よりステップＳ１０１２へ進む。
【００３７】
以上のようにして、操作部１１５の液晶表示部に表示される表示画面に従って、オペレータは入力装置の種別を決定すると（本例では、入力装置の種別としてスキャナが選択される）、ステップＳ１０１２において、選択された種別に属する入力装置の一覧が液晶表示部に表示される。ここで、本例のように、画像処理装置１００がＬＡＮインターフェース部９によりＬＡＮ１３００に接続されており、且つＬＡＮ１３００上に他の光学式スキャナ装置が接続されている場合には、オペレータは画像処理装置１００に含まれている光学式スキャナ装置以外に、仮想光学式スキャナ装置を入力装置として選択することができる。即ち、図５に示すようなＬＡＮ環境に画像処理装置がおかれている場合には、光学式スキャナ装置（リーダ部１）及び仮想光学式スキャナ装置（光学式スキャナ装置１３０２、１３０３）が入力装置として選択可能となる。
【００３８】
この選択は操作部１１５の液晶表示部に表示される表示画面に従って、オペレータがいずれか１つの光学式スキャナ装置を選択することにより行われる。図１１は入力装置として使用するスキャナを選択するための表示画面を表わす図である。図１１に示すように、選択可能な光学式スキャナ装置について、図６で示したＲＡＭ１２５内の装置テーブルを参照することにより画像処理装置１００に含まれているものとＬＡＮを介して接続されているものとを区別して表示する。これにより、オペレータは入力装置が画像処理装置１００に含まれるものかＬＡＮを介して接続されたものかを識別でき、入力装置に用いる光学式スキャナ装置の選択をより効果的に行うことできる。以上のようにして、選択された入力装置がリザーブされ、入力装置の選択処理を終了し（ステップＳ１０１３）、処理はステップＳ１００２（図７）へ進む。
【００３９】
ステップＳ１００２でオペレータは、原稿の複写を行うための出力装置として何れかの画像印刷装置を選択することが可能である。ステップＳ１００２における出力装置の選択処理については後で詳しく述べるのでここでは省略する。尚、本画像処理装置には画像印刷装置としてプリンタ部２が含まれており、ステップＳ１００２において出力装置の選択処理が行われなかった場合には、画像印刷装置としてプリンタ部２が無条件に選択される。
【００４０】
続いてステップＳ１００３では、原稿画像の読み込み処理を行う。画像処理装置１００に含まれるリーダ部１により原稿の読み込みを行う場合、リーダ部１から読み込まれた画像はプリンタ部２或はコア部１０に送られる。
【００４１】
また、ＬＡＮインターフェース部９を介して接続されている仮想光学式スキャナ装置より入力を行う場合には、オペレータによりステップＳ１００１で選択されたＬＡＮ対応スキャナを用いることにより原稿の読み込みが実行される。ＬＡＮ対応スキャナ１１０１のリーダ部１１０２における原稿の読み込みについては、リーダ部１と同様である。
【００４２】
ＬＡＮ対応スキャナ１１０１から読み込まれた画像情報はＬＡＮインターフェース部１１０３及びＬＡＮ１３００を介して画像処理装置１００に送信される。ＬＡＮインターフェース部１１０３での画像情報のＬＡＮ送信に関する基本的な動作は、ＬＡＮインターフェース部９と同様である。一方、画像処理装置１００においては、ＬＡＮを介して送信された画像情報をＬＡＮインターフェース部９が受信し、これをコア部１０へ送る。
【００４３】
次にステップＳ１００４では画像情報の印刷出力処理を行う。ここで画像情報の印刷出力装置としては、特にオペレータが指示を行わない場合においてはプリンタ部２が選択される。リーダ部１で読み取られた画像をプリンタ部２で印刷する場合は、リーダ部１からプリンタ部２へ画像情報が直接送られる。
【００４４】
次に 画像処理装置１００における出力装置選択の一例として、光学式スキャナ装置より入力された原稿画像をＦＡＸ送信する場合について、図１２乃至図１５を参照して詳細に説明する。
【００４５】
図１２は、本実施例の画像出力手順を説明するフローチャートである。まず、ステップＳ１４０１でオペレータは、必要に応じて入力装置を選択できる。即ち、ＦＡＸ送信対象原稿の読み込みを行うための入力装置として画像処理装置１００に含まれる光学式スキャナ装置やネットワークを介して接続された各種画像入力装置の中のいずれかを選択することが可能である。尚、ステップＳ１４０１における入力装置の選択処理については図９のフローチャートにより示した通りである。又、入力装置の選択（ステップＳ１４０１）を行わなかった場合には、画像入力装置としてリーダ部１が無条件に選択される。
【００４６】
次にステップＳ１４０２では、原稿画像のＦＡＸ送信を行うための出力装置としてＦＡＸ送受信装置の一つを選択する。ここで画像処理装置１００にはＦＡＸ送受信装置としてファクス部４が含まれており、これを利用して画像情報のＦＡＸ送信を行うことができる。しかしながら、画像処理装置１００に含まれているファクス部４以外にも、ＬＡＮインターフェース部９を介して接続されているＦＡＸ送受信装置（以下ではこれを仮想ＦＡＸ送受信装置と呼ぶ）を選択し、画像情報のＦＡＸ送信を行うことも可能である。本実施例における仮想ＦＡＸ送受信装置とは、同じＬＡＮ上に接続されたＬＡＮ対応ＦＡＸ送受信装置のことである。
【００４７】
図１３のブロック図に示すようにＬＡＮ対応ＦＡＸ送受信装置１５０１は、ＬＡＮを介して他の装置との画像情報の送受信を行うためのＬＡＮインターフェース部１５０２と、電話回線を通じてＦＡＸ送受信を行うためのファクス部１５０３とにより構成されている。ＬＡＮインターフェース部１５０２およびファクスインターフェース部１５０３については画像処理装置１００に含まれるＬＡＮインターフェース部９およびファクス部４と同様な機能を有する。
【００４８】
図１４は出力装置の選択処理（ステップＳ１４０２）における処理手順を表わすフローチャートである。まず、ステップＳ１０２０において、操作部１１５の液晶表示部に図１５に示すスクリーンが表示される。ここで、オペレータは出力装置として複数の出力装置の種別の中から所望の出力装置を選択する。本例では、ファクスを選択する。入力装置の選択（図１０）において説明したのと同様の手順で、オペレータが出力装置の種別を設定すると、処理はステップＳ１０２１からステップＳ１０２２へ進む。
【００４９】
ステップＳ１０２２では、設定された種別に属する使用可能な出力装置の一覧表示をする。図１６は、出力装置の種別としてファクスが選択された場合の、使用可能な出力装置の一覧（装置名の一覧）の表示状態を表わす図である。図５に示したように、画像処理装置１００はＬＡＮインターフェース部９によりＬＡＮに接続されており、且つＬＡＮ上に他のＦＡＸ送受信装置が接続されている。即ち、オペレータは画像処理装置１００に含まれているＦＡＸ送受信装置以外の仮想ＦＡＸ送受信装置を出力装置として選択することができる。例えば、図５に示すようなＬＡＮ環境に画像処理装置１００がおかれている場合には、ファクス部４及び仮想ＦＡＸ送受信装置１３０５、１３０６、１３０７が出力装置として選択可能となる。
【００５０】
操作部１１５の液晶表示部には図１６に示すごとき表示がなされる。この表示画面に従ってオペレータがいずれか１つのＦＡＸ送受信装置を選択することにより出力装置の選択が行われる。このとき図１６に示すように、選択可能なＦＡＸ送受信装置を画像処理装置１００に含まれているものとＬＡＮを介して接続されているものとを区別して表示する。これにより、オペレータはその情報を考慮し出力に用いるＦＡＸ送受信装置の選択をより効果的に行うことできる。
【００５１】
以上のようにして、出力装置の選択を行うと図１４の処理を終了し（ステップＳ１０２３）、図１２のステップＳ１４０３へ進む。
【００５２】
続いてステップＳ１４０３では、画像原稿の読み込み処理を行う。ここで画像情報の入力装置としては、特にオペレータが指示を行わない場合においてリーダ部１が選択される。リーダ部１から読み込まれた画像はコア部１０に送られる。
【００５３】
次にステップＳ１４０４では、コア部１０に入力された画像情報をファクス部４へ転送する。
【００５４】
また、ＬＡＮインターフェース部９を介して接続されている仮想ＦＡＸ送受信装置よりＦＡＸ送信を行う場合には、オペレータによりステップＳ１４０２で選択されたた同じＬＡＮに接続されているＬＡＮ対応ＦＡＸ送受信装置を用いることにより画像のＦＡＸ送信が実行される。ＬＡＮ対応ＦＡＸ送受信装置１５０１においては、まずＬＡＮインターフェース部９からＬＡＮを介して送信された画像情報が、ＬＡＮ対応ＦＡＸ送受信装置１５０１に含まれるＬＡＮインターフェース部１５０２により受信される。そしてＬＡＮインターフェース部１５０２により受信された画像情報はファクス部１５０３に接続された電話回線を介してＦＡＸ送信される。
【００５５】
また、ＬＡＮ対応ＦＡＸ送受信装置１５０１に含まれるＬＡＮインターフェース部１５０２がＬＡＮ送信画像情報を受信する場合の基本的動作は、ＬＡＮインターフェース部９と同様である。また、ＬＡＮ対応ＦＡＸ送受信装置１５０１に含まれるファクス部１５０３から画像情報をＦＡＸ送信する場合の基本的動作は、ファクス部４と同様である。
【００５６】
上記実施例では、仮想装置が接続されている通信回線がＬＡＮ（ローカルエリアネットワーク）である場合について説明したが、この通信回線については、ＷＡＮ（ワイドエリアネットワーク）などの一般的に知られているどのような通信回線であってもよい。また、通信回線に接続されている各装置も一般的に知られている通信回線に接続可能な装置であるならば、どのような装置であってもよい。
【００５７】
又、ＬＡＮ上に接続された仮想装置を含めた複数の入力装置がある場合、それぞれの装置が画像処理装置１００に含まれるものであるかＬＡＮを介して仮想的に利用できるものであるかを表示する際に、本実施例ではそれぞれの装置をこの２つのどちらかに分類するような形態で表示していたが、この表示形態については入力装置がこの２つの分類のどちらであるか識別できるような表示であればどのような表示形態をとってもよいことはいうまでもない。
【００５８】
同様に、ＬＡＮ上に接続された仮想装置を含めた複数の出力装置がある場合、それぞれの装置が画像処理装置１００に含まれるものであるかＬＡＮを介して仮想的に利用できるものであるかを表示する際に、上記実施例ではそれぞれの装置をこの２つのどちらかに分類するような形態で表示していたが、この表示形態については出力装置がこの２つの分類のどちらであるか区別できるような表示であればどのような表示形態をとってもよいことはいうまでもない。
【００５９】
図７のフローチャートでは、光学式スキャナ装置より入力された原稿画像を複写する場合について説明したが、入力装置は必ずしも光学式スキャナ装置である必要はなく、画像情報の入力が可能な装置、即ちＦＡＸ送受信装置、ファイル部５に接続された光磁気記憶装置、インターフェースを介したコンピュータ端末などであってもよい。その場合、液晶表示部の表示やオペレータの指示手順等は、上述と同様である。
【００６０】
図１２のフローチャートでは、光学式スキャナ装置より入力された原稿画像をＦＡＸ送信する場合について詳細に説明したが、出力装置は必ずしもＦＡＸ送受信装置である必要はなく画像情報の出力が可能な装置、即ちＦＡＸ送受信装置、ファイル部５に接続された光磁気記憶装置、インターフェースを介したコンピュータ端末などであってもよい。その場合、液晶表示部の表示やオペレータの指示手順は、上述と同様である。
【００６１】
更に、上記実施例では、図６のデバイステーブルの作成において、定期的にＬＡＮ上の各装置への問い合わせを行うがこれに限らない。例えば、入出力装置の種別が選択されたときに問い合わせを実行するようにしてもよい。
【００６２】
以上説明したように、本実施例１によれば、使用する入出力装置の選択に際して、画像処理装置１００に含まれた入出力装置と、ＬＡＮを介して接続された入出力装置とを分けて表示することが可能となる。一般に、ＬＡＮを介して接続された入出力装置は、ネットワークの通信処理を行うために、装置本体に内蔵される入出力装置に比べて処理速度が遅くなる。本実施例１によれば、オペレータはそのような処理速度を考慮して入出力装置の選択を行うことができ、処理を効率的に行えるようになる。
【００６３】
＜実施例２＞
上記実施例１では、画像処理装置１００に含まれる入出力装置と、ＬＡＮを介して接続された入出力装置とを区別して表示し、要求される処理速度に応じた入出力装置の選択を可能としている。しかしながら、高速通信が可能なＬＡＮも登場してきており、例えばコンピュータインターフェース部７のＲＳ２３２Ｃ通信を介して画像データを取り込むよりも、むしろＬＡＮを介して画像データの取り込を行ったほうが処理が高速になる場合も考えられる。本実施例２では、このような諸々の条件を含めて、オペレータに処理速度の差を明確に報知することが可能なネットワークシステムを説明する。
【００６４】
図１７は実施例２のデバイステーブルの一例を表わす図である。尚、ＬＡＮ上の各入出力デバイスへの属性情報の問い合わせのタイミングは、定期的に行うようにしてもよいし、入出力装置の種別の選択処理が実行されたときに行うようにしてもよい。
【００６５】
本実施例２のデバイステーブルでは、画像処理装置１００に含まれている入出力装置かＬＡＮを介して接続されている入出力装置かの区別に加えて、画像処理装置１００に含まれた入出力装置であればそのインターフェースの種類を示すデータが登録されている。
【００６６】
図１８は入力デバイスの選択処理における表示画面の一例を表わす図である。この表示画面は、前述の図９ステップＳ１０１２における表示状態に置き換わるものである。同図に示されるように、使用可能な光学式スキャナが処理速度（高速、中速、低速）で区分されて表示される。ここで、高速、中速、低速の区分は、インターフェースの種類に基づいて行われる。例えば、ＲＳ２３２Ｃであれば低速であり、ＳＣＳＩであれば高速、ＬＡＮを介して接続されていれば中速と判定して表示を行う。尚、上記スキャナ以外の入出力装置についても同様に分類した表示を行える。
【００６７】
以上のように、実施例２の画像処理装置によれば、入出力装置の選択に際して、インターフェースの処理速度に基づいて分類されて表示されるので、オペレータは通信速度を考慮して入出力装置の選択を行うことができる。
【００６８】
ところで、ホストコンピュータ１１（以下単にコンピュータと称する）を用いてＬＡＮ上の所望の入力装置から所望の出力装置へ画像を転送するような制御を実行する場合、入力装置及び出力装置の選択は、オペレータが任意に設定する方法（マニュアルモード）と、画像処理装置１００（又はコンピュータ１１）が自動選択する方法（自動モード）が考えられる。各入出力装置よりそれぞれのステータス情報と物理位置情報（設置位置情報）を含む装置情報を送出させ、入出力装置の選択に際してはこの装置情報に基づいた表示を行うことにより、オペレータはこの表示を参考にして処理に最適な入出力装置を選択することができる。このため、コンピュータ１１が自動的に入出力装置を選択する場合もより利用しやすいものを選択することができる。
【００６９】
以上のネットワークシステムにおける入出力装置の選択の一例として、光学式スキャナ装置より入力された原稿画像をＦＡＸ送信する場合について、詳細に説明する。
【００７０】
図１９は、本実施例のネットワーク環境における各装置の設置位置を表わす図である。構内の１階（１Ｆ）、２階（２Ｆ）、３階（３Ｆ）のそれぞれのフロアーに前述した各装置が設置されており、ＬＡＮ１３００に接続されている。
【００７１】
また、１３０８、１３０９、１３１０は、ＬＡＮ１３００に接続された情報処理装置であり、ＬＡＮ１３００を介して各装置をコントロールし、画像データの入出力が可能である。情報処理装置１３０８〜１３１０としては、例えばパーソナルコンピュータ等が挙げられる。
【００７２】
図２０は、本実施例のネットワーク環境を表わす図である。
【００７３】
今このような環境において、１Ｆの情報処理装置１３１０より指示を与えて、原稿画像の入力とＦＡＸ送信出力を行う場合を例に挙げながら、本実施例によるデータの入出力手順を説明する。
【００７４】
図２１は、本実施例の画像データ入出力手順を説明するフローチャートである。まず、ステップＳ１０において、入力装置の種別指定のための表示を行う。そしてステップＳ１１において、入力装置の種別の指定を行う。入力装置の種別指定時における情報処理装置１３１０のディスプレイ上の表示状態を図２２に示す。同図において１４００はグラフィックカーソルであり、例えばポインティングデバイスにより操作し、所望の入力装置を指定したりする。このグラフィックカーソル１４００をスキャナ選択ボタン１４０１上へ移動してクリックすることでスキャナが選択候補として設定される。このとき、表示領域１４０３に「スキャナ」と表示され、スキャナ選択ボタン１４０１の表示状態が他の装置の選択ボタンと区別して表示される。この状態で、グラフィックカーソル１４００を決定キー１４０２上へ移動してクリックすることにより、入力装置の種別としてスキャナが設定される。
【００７５】
以上のようにして、入力装置の種別が指定されると処理はステップＳ１１よりステップＳ１２へ進む。ステップＳ１２において、情報処理装置１３１０は使用可能な各入出力装置よりステータス情報と設置位置情報とを含む装置情報を獲得する。たとえば、仮想光学式スキャナ１３０２からは、「使用中」というステータス情報と「３Ｆ−Ｂブロック」という設置位置情報が転送される。また、ＬＡＮ対応ＦＡＸ送受信装置１３０４からは、「送信中」、「３Ｆ−Ｃブロック」という情報が転送される。以下同様にして、ＬＡＮ上の各装置についての装置情報が情報処理装置１３１０に集められる。尚、本実施例では、使用に際して各装置情報を収集する（ステップＳ１２）が、例えば、定期的にポーリングすることにより各機器の装置情報を収集しておいてもよい。
【００７６】
以上のようにして得られた各情報は情報処理装置１３１０のメモリ内のデバイステーブルに格納される。図２６はデバイステーブルのデータ構成例を表わす図である。デバイステーブルには上述のステップＳ１２で獲得された各情報が装置毎に格納されるので、このデバイステーブルを参照することにより、各装置の設置位置、ステータスの情報を得ることができる。
【００７７】
ステップＳ１３では、図２３に示すような、指定された種別に属する入力装置の一覧を表示する。ここでは、ステップＳ１２で得られた装置情報（図２６のデバイステーブル）に基づいて、各スキャナについて設置位置（「１Ｆ−Ａ」等）及びステータス（「ＲＥＡＤＹ」、「ＢＵＳＹ」）が情報処理装置のディスプレイに表示される。
【００７８】
次にステップＳ１４において、オペレータは入力装置の選択を「自動モード」で行うか「マニュアルモード」で行うかを指定する。マニュアルモードが選択されるとステップＳ１５へ進み、使用する機器の選択入力を待つ。一方、自動モードが選択されるとステップＳ１６へ進み、収集された装置情報に基づいて最適な入力装置が自動的に選択される。尚、この自動、マニュアルモードの選択は入力装置の選択時に毎回を行うようにしてもよいし、予め、自動モードか、マニュアルモードかを設定しておくようにしてもよい。
【００７９】
マニュアルモードの場合はステップＳ１５へ進み、図２３に示した表示を参照して使用する入力装置をオペレータが指定する。指定方法としては、種別指定と同様の操作方法（グラフィックカーソルを用いた方法）が適用できる。この結果オペレータは、１Ｆの情報処理装置１３１０の近くの光学式スキャナ１３０３がレディ状態であり、これを選択すればよいことが図２３の表示から判断できる。また、２階にいる人から原稿画像を入力してもらうような場合は、図２３の表示画面において「ｓｃａｎｎｅｒ２（システム機１００のリーダ部１）」を選択すればよいことがわかる。このように、表示画面に従ってオペレータがいずれか１つの光学式スキャナ装置を選択することにより、使用する入力装置が決定される。これにより選択されたスキャナ装置がリザーブされ、他の情報処理装置による選択が禁止される。
【００８０】
一方自動モードが選択された場合はステップＳ１４からステップＳ１６へ進む。ステップＳ１６にでは、ステップＳ１２で収集された各入力装置の装置情報に基づいて最適な入力装置が自動的に選択される。この選択の条件としては種々考えられるが、一例として操作中の情報処理装置１３１０に物理的に近い機器を優先的に選択するものとすれば、１階のｓｃａｎｎｅｒ１が自動的に選択される。また、物理的距離の近い機器が使用中であれば、物理的距離が次に近い機器を自動選択する。
【００８１】
以上のようにして入力装置の指定が終了すると、引き続き出力装置の指定が行われる。
【００８２】
ステップＳ１７において出力装置の種別が表示される。出力装置の種別指定時における情報処理装置１１０９のディスプレイ上の表示状態を図２４に示す。上述の入力装置の種別指定時（ステップＳ１１）と同様の手順で出力装置の種別を指定する（ステップＳ１８）。本例ではファクスが指定されている。
【００８３】
出力装置の種別が指定されると処理はステップＳ１８よりステップＳ１９へ進み、出力装置の一覧が表示される。ステップＳ１９では、図２５に示すような、指定された種別に属する出力装置の一覧が表示される。ここで、先のステップＳ１２で獲得された装置情報が参照され、各出力装置毎に設置位置情報、ステータス情報が表示される。
【００８４】
ステップＳ２０では、出力装置の選択を自動で行う（自動モード）かマニュアルで行う（マニュアルモード）かが判定される。マニュアルモードであれば、ステップＳ２１へ進み、オペレータが所望の出力装置（ここではファクシミリ装置）を、その設置位置情報及びステータス情報を参照して指定する。
【００８５】
一方、自動モードであれば、ステップＳ２０よりステップＳ２２へ進み、出力装置がその装置情報に基づいて自動的に選択される。本例では、設置位置情報を参照して、操作中の情報処理装置１３１０に物理的に近い装置を優先的に用いるように出力装置が選択される。
【００８６】
以上のように、オペレータは、原稿画像のＦＡＸ送信を行うための出力装置として所望のＦＡＸ送受信装置を選択することが可能である。しかし一般には、どのＦＡＸ装置から画像が送信されても、受信者にとっては、関係の無い場合が多い。従って、出力装置の種別としてファクスが指定された場合は、情報処理装置１３１０が自動的に設置位置情報に基づいてデータパスの短いＦＡＸ端末１３０７を選択するようにしてもよい。このことは、ＬＡＮ上のトラフィックを不用意に増加させることを防止する上でも重要である。
【００８７】
以上のようにして入出力装置として、例えばスキャナ１３０３とＦＡＸ１３０７が決定される。そして、情報処理装置１３１０の指令により、スキャナ１３０３より入力された原稿画像がＬＡＮ経由でＦＡＸ送受信装置１３０７に転送され、ファクシミリ装置１３０７が指定されたダイヤルに発呼し、画像を送信する。
【００８８】
尚、本実施例では、仮想装置が接続されている通信回線がＬＡＮ（ローカルエリアネットワーク）である場合について説明したが、この通信回線については、ＷＡＮ（ワイドエリアネットワーク）などの一般的に知られているどのような通信回線であってもよい。また、通信回線に接続されている各装置も一般的に知られている通信回線に接続可能な装置であるならば、どのような装置であってもよい。
【００８９】
また、上記実施例では、光学式スキャナ装置より入力された原稿画像をＦＡＸ送受信装置へ出力する場合について説明したが、入力装置と出力装置の機器の組み合わせはこれに限られないことはいうまでもない。入出力装置としては、画像情報の入力或は出力が可能な装置、すなわちファクス送受信装置、外部記憶装置、インターフェースを介したコンピュータ端末などが適用できる。また、これらの入出力装置を選択した場合においても、上記入出力装置の選択手順及び各種表示内容を適用できることは明らかである。
【００９０】
また、オペレータが入力装置、出力装置の選択を情報処理装置で行う代わりに、実施例１と同様、画像処理装置１００の操作部１１５で行ってもよい。
【００９１】
以上説明したように、本実施例によれば、各装置のステータス情報と設置位置情報を含む装置情報を用いることにより、入出力装置をマニュアルもしくは自動にて選択する場合に、不用意に遠い位置にある装置を選択するといった不具合を回避することができる。
【００９２】
尚、本発明は、複数の機器から構成されるシステムに適用しても１つの機器からなる装置に適用しても良い。また、本発明はシステム或いは装置に本発明により規定される処理を実行させるプログラムを供給することによって達成される場合にも適用できることはいうまでもない。
【００９３】
以上説明したように上記実施例によれば、オペレータが使用する装置を選択する際の機器の表示において、各装置が画像処理装置本体に含まれているものであるか通信回線上に接続されているものであるかを識別可能に表示することが可能となる。
【００９４】
また、上記実施例によれば、オペレータが使用する装置を選択する際の装置の表示において、インターフェースの種類に基づいて各機器を分類し、この分類を識別可能に表示することが可能となる。
【００９５】
また、上記実施例によれば、使用する装置を選定するに際して、各装置の物理的位置に基づく表示を行うことが可能となり、各装置の物理的位置を考慮した装置の選定が容易に行える。
【００９６】
また、上記実施例によれば、使用する装置を自動的に選定する際に、各装置の物理的位置に基づいて適切な装置を選定することが可能となる。
【００９７】
以上説明した実施例によれば次のような効果が得られる。すなわち、ネットワークシステム内の使用すべき装置の選択に際し、各装置の設置位置に基づく表示を行い、各装置の設置位置を考慮した選定が容易に行えるという効果がある。
【００９８】
また、実施例によれば、各装置の設置位置に基づく表示と共に、各装置の種別を表示し、ネットワーク上の入力装置、出力装置の選定をより容易に行なえる。
【００９９】
また、実施例によれば、入力装置の選択に際して、ネットワーク上の各入力装置を各設置位置に基づく情報と共に表示し、表示された入力装置の一つを選択することが可能となり、ネットワークシステムにおける画像処理操作の操作性が向上する。
【０１００】
また、実施例によれば、出力装置の選択に際して、ネットワーク上の各出力装置を各設置位置に基づく情報と共に表示し、表示された出力装置の一つを選択することが可能となり、ネットワークシステムにおける画像処理操作の操作性が向上する。
【０１０１】
また、実施例によれば、ネットワークシステム内の使用すべき装置を自動的に選択する際に、各装置の設置位置に基づいて適切な装置を選定することが可能となる。
【０１０２】
また、実施例によれば、使用すべき装置を選定する際に、各装置がネットワークを介さずに使用できる装置であるか、ネットワークを介して使用する装置であるかを識別可能に表示することを可能とし、効率的な処理を行うことが可能となる。
【０１０３】
また、実施例によれば、使用すべき装置を選定する際に、各装置のインターフェイスの種類を識別可能に表示することが可能となり、効率的な処理を行うことが可能となる。
【０１０４】
また、実施例によれば、デジタル複写装置等から、ネットワークに接続された装置の使用をリザーブできる。
【０１０５】
また、実施例によれば、上記各効果を達成するネットワークシステムに適用可能な画像処理装置が提供される。
【図面の簡単な説明】
【０１０６】
【図１】本発明の一実施例の画像処理装置のブロック図である。
【図２】リーダ部およびプリンタ部の断面図である。
【図３】リーダ部のブロック図である。
【図４】コア部のブロック図である。
【図５】本実施例のネットワークシステムの一構成例を表わす図である。
【図６】ネットワークシステムにおいて使用可能な入出力装置の情報を格納する装置テーブルを表わす図である。
【図７】本実施例の画像入力手順を表わすフローチャートである。
【図８】本実施例のＬＡＮ対応光学式スキャナ装置の概略構成を表わすブロック図である。
【図９】入力装置の選択処理手順の詳細を表わすフローチャートである。
【図１０】入力装置の種別の表示状態を表わす図である。
【図１１】入力装置として使用するスキャナを選択するための表示画面を表わす図である。
【図１２】本実施例の画像出力手順を説明するフローチャートである。
【図１３】本実施例のＬＡＮ対応ＦＡＸ送受信装置の概略構成を表わすブロック図である。
【図１４】出力装置の選択処理における処理手順を表わすフローチャートである。
【図１５】出力装置の種別の表示状態を表わす図である。
【図１６】出力装置として使用するファクスを選択するための表示画面を表わす図である。
【図１７】実施例２のデバイステーブルの一例を表わす図である。
【図１８】実施例２における、入力デバイスの選択処理時の表示画面の一例を表わす図である。
【図１９】本実施例のネットワーク環境における各機器の設置位置を表わす図である。
【図２０】本実施例のネットワーク環境を表わす図である。
【図２１】本実施例の画像データ入出力手順を説明するフローチャートである。
【図２２】入力装置の種別指定時における情報処理装置のディスプレイ上の表示状態を示す図である。
【図２３】指定された種別に属する入力装置の一覧を表示した状態を表わす図である。
【図２４】出力装置の種別指定時における情報処理装置のディスプレイ上の表示状態を表わす図である。
【図２５】指定された種別に属する出力装置の一覧を表示した状態を表わす図である。
【図２６】本実施例のデバイステーブルのデータ構成例を表わす図である。
【図１】
2008047151.tif 000003
【図２】
2008047151.tif 000004
【図３】
2008047151.tif 000005
【図４】
2008047151.tif 000006
【図５】
2008047151.tif 000007
【図６】
2008047151.tif 000008
【図７】
2008047151.tif 000009
【図８】
2008047151.tif 000010
【図９】
2008047151.tif 000011
【図１０】
2008047151.tif 000012
【図１１】
2008047151.tif 000013
【図１２】
2008047151.tif 000014
【図１３】
2008047151.tif 000015
【図１４】
2008047151.tif 000016
【図１５】
2008047151.tif 000017
【図１６】
2008047151.tif 000018
【図１７】
2008047151.tif 000019
【図１８】
2008047151.tif 000020
【図１９】
2008047151.tif 000021
【図２０】
2008047151.tif 000022
【図２１】
2008047151.tif 000023
【図２２】
2008047151.tif 000024
【図２３】
2008047151.tif 000025
【図２４】
2008047151.tif 000026
【図２５】
2008047151.tif 000027
【図２６】
2008047151.tif 000028